(57)【要約】【課題】簡易な構成で防犯機能・証拠取得機能を備え、一般個人住宅や小規模事業所等の敷地全体の使用に適した高機能な防犯装置を提供する。【解決手段】移動体Ｍを検出してこの移動体を照明するセンサライト４０と、センサライト４０の明滅を検出する検出部３０と、移動体の映像データを出力するカメラ２０と、複数のセンサライト４０それぞれに設置された複数の検出部３０および複数のカメラ２０が接続される監視装置１０と、を備え、センサライト４０により検出した移動体をカメラ２０が撮影して移動体の静止画像データを取得するような防犯装置１とした。【選択図】図１
2007299131.tif 000002
【特許請求の範囲】
【請求項１】
移動体を検出してこの移動体を照明するセンサライトと、
センサライトの明滅を検出して検出信号を出力する検出部と、
センサライトの検出範囲を撮影範囲に含む位置に配置され、撮影範囲内を撮影して移動体の映像信号を出力するカメラと、
複数のセンサライトそれぞれに設置された複数の検出部および複数のカメラが接続される監視装置と、
を備える防犯装置であって、
監視装置は、
検出部からの検出信号に基づいてセンサライトを特定するとともに特定したセンサライトに対応して特定のカメラに電源を供給する電源制御部と、
特定のカメラから送信された映像信号から静止画像データを取得する静止画像取得部と、を備えて、センサライトにより検出した移動体をカメラが撮影して移動体の静止画像データを取得することを特徴とする防犯装置。
【請求項２】
請求項１に記載の防犯装置において、
前記検出部は、
センサライトが明滅するときに電源部から流れるケーブルの電流の変化を検出して変流信号を出力する変流器と、
変流器から出力される変流信号から検出信号を生成する処理部と、
を備えることを特徴とする防犯装置。
【請求項３】
請求項２に記載の防犯装置において、
前記監視装置は、移動体の静止画像データを遠隔の端末に公衆網を介して送信する通信部を備えることを特徴とする防犯装置。
【請求項４】
請求項１〜請求項３の何れか一項に記載の防犯装置において、
一のセンサライトに対して一または複数のカメラを対応させ、一のセンサライトの検出により一または複数のカメラが選択されることを特徴とする防犯装置。
【請求項５】
請求項１〜請求項４の何れか一項に記載の防犯装置において、
複数のセンサライトに対して一のカメラを対応させ、複数のセンサライトの検出により一のカメラが選択されることを特徴とする防犯装置。
【発明の詳細な説明】
【技術分野】
【０００１】
本発明は、一般個人住宅や小規模事業所等の敷地内への不法侵入者を監視するための防犯装置に関する。
【０００２】
近年、空き巣ねらいなど不心得者が増加し続ける状況となっているにもかかわらず、一般個人住宅及び小規模事業所においては、費用対効果の観点から高額な防犯装置や防犯システムを導入することは容易ではなかった。一般個人住宅の家主及び小規模事業所の管理者にとって、導入しやすい安価なシステムが求められていた。
【０００３】
そこで無人の一般個人住宅・小規模事業所を監視するための防犯装置の開発が進められている。このような防犯装置は、一般的には屋内外の所定の位置に監視カメラを固定し、警備会社の警備員が遠隔地でモニタ装置を通じて屋内の状態（特に火災発生や不法侵入者）を監視するという装置である。
【０００４】
また、防犯装置の他の先行技術として、例えば、特許文献１（特開２００２−１８３８４５号公報，発明の名称「防犯装置」）記載のものがある。先行技術では、特に侵入経路入口となる扉や窓の監視を行うものであり、簡易な構成で一般個人や小規模事務所の使用に適した防犯装置としている。
【０００５】
【特許文献１】特開２００２−１８３８４５号公報（図１，図４）
【発明の開示】
【発明が解決しようとする課題】
【０００６】
特許文献１の防犯装置では、一般個人住宅・小規模事業所内への侵入を防止する点で優れた装置であった。しかしながら、一般個人住宅・小規模事業所の敷地全体を防犯のため監視するには不向きであった。特に工場内には鉄・アルミニウムや灯油など近年値段が上昇している材料が大量に保管されており、広い敷地内でも使用できるような装置により監視体制の強化を図りたいという要請が高まりつつあった。
【０００７】
また、侵入者を密かに撮影するだけでは、防犯装置を導入したにも拘わらず、依然、家宅侵入・窃盗の被害を被る恐れがあった。取得した画像により犯人逮捕につながるとしても、侵入・窃盗被害を受けないほうが良いことはいうまでもなく、敷地全体において効果的に警告するようにしたいという要請があった。
【０００８】
そこで、本発明は、上述の課題を解決するためになされたものであり、本発明の第一の目的は、低コストで容易に設置可能であって一般個人住宅・小規模事業所の敷地での窃盗被害を未然に防ぐ防犯装置を提供することにある。
また、本発明の第二の目的は、外出や休業日等不在時に不法侵入者による被害を受けた場合でも、敷地内への不法侵入者の撮影記録を得ることにより、所轄警察への容疑者特定証拠を提示し易くして、すみやかに事件解決を図る防犯装置を提供することにある。
総じて、本発明の目的は、簡易な構成で防犯機能・証拠取得機能を備え、一般個人住宅や小規模事業所等の敷地全体の使用に適した高機能な防犯装置を提供することにある。
【課題を解決するための手段】
【０００９】
本発明の請求項１に係る防犯装置は、
移動体を検出してこの移動体を照明するセンサライトと、
センサライトの明滅を検出して検出信号を出力する検出部と、
センサライトの検出範囲を撮影範囲に含む位置に配置され、撮影範囲内を撮影して移動体の映像信号を出力するカメラと、
複数のセンサライトそれぞれに設置された複数の検出部および複数のカメラが接続される監視装置と、
を備える防犯装置であって、
監視装置は、
検出部からの検出信号に基づいてセンサライトを特定するとともに特定したセンサライトに対応して特定のカメラに電源を供給する電源制御部と、
特定のカメラから送信された映像信号から静止画像データを取得する静止画像取得部と、を備えて、センサライトにより検出した移動体をカメラが撮影して移動体の静止画像データを取得することを特徴とする。
【００１０】
また、本発明の請求項２に係る防犯装置は、
請求項１に記載の防犯装置において、
前記検出部は、
センサライトが明滅するときに電源部から流れるケーブルの電流の変化を検出して変流信号を出力する変流器と、
変流器から出力される変流信号から検出信号を生成する処理部と、
を備えることを特徴とする。
【００１１】
また、本発明の請求項３に係る防犯装置は、
請求項２に記載の防犯装置において、
前記監視装置は、移動体の静止画像データを遠隔の端末に公衆網を介して送信する通信部を備えることを特徴とする。
【００１２】
また、本発明の請求項４に係る防犯装置は、
請求項１〜請求項３の何れか一項に記載の防犯装置において、
一のセンサライトに対して一または複数のカメラを対応させ、一のセンサライトの検出により一または複数のカメラが選択されることを特徴とする。
【００１３】
また、本発明の請求項５に係る防犯装置は、
請求項１〜請求項４の何れか一項に記載の防犯装置において、
複数のセンサライトに対して一のカメラを対応させ、複数のセンサライトの検出により一のカメラが選択されることを特徴とする。
【発明の効果】
【００１４】
本発明によれば、低コストで容易に設置可能であって一般個人住宅・小規模事業所の敷地での窃盗被害を未然に防ぐ防犯装置を提供することができる。また、外出や休業日等不在時に不法侵入者による被害を受けた場合でも、敷地内への不法侵入者の撮影記録を得ることにより、所轄警察への容疑者特定証拠を提示し易くして、すみやかに事件解決を図る防犯装置を提供することができる。総じて、簡易な構成で防犯機能・証拠取得機能を備え、一般個人住宅や小規模事業所等の敷地全体の使用に適した高機能な防犯装置を提供することができる。
【発明を実施するための最良の形態】
【００１５】
以下、本発明を実施するための最良の形態について図を参照しつつ説明する。図１は防犯装置のシステム構成図である。図２は検出部の構成図である。図３は防犯装置を含む防犯システムの説明図である。図４はカメラとセンサライトとの配置例の説明図である。
本形態の防犯装置１は、図１で示すように、監視装置１０、カメラ２０、検出部３０、センサライト４０、外部電源部５０、センサライトケーブル６０を備えている。
【００１６】
監視装置１０は、図１に示すように、さらに電源制御部１１、カメラ選択部１２、静止画像取得部１３、ＪＰＥＧ画像圧縮部１４、通信部１５、画像キャプチャ部１６、設定部１７を備える。
検出部３０は、図２で示すように、変流器（貫通形ＣＴ）３１、処理部３８を備えており、この処理部３８はさらに過電圧抑制回路３２、整流回路３３、電圧安定回路３４、平滑コンデンサ３５、閾値設定回路３６、接点出力回路３７を備える。
【００１７】
このような防犯装置１は、図３で示すように、公衆網を介して管理室の端末（コンピュータ）１００に接続され、防犯システム２を構成している。本形態では公衆網の一例としてＰＨＳ網９０を採用するものとして説明している。
【００１８】
続いて各部の動作について説明する。例えば、図３や図４で示すように、敷地内におけるセンサライト４０の検出範囲内に侵入者などの移動体Ｍが入り込んだ場合、センサライト４０は直ちに点灯するように機能する。
センサライト４０は、例えば焦電型赤外線センサを内蔵しており、移動体Ｍから放出される赤外線エネルギーを検出すると同時に制御部がライトのスイッチを即座にオンにする。すると、外部電源部５０からセンサライトケーブル６０を介して電力が供給され、センサライト４０は点灯することとなる。このようなライトの点灯により驚いて侵入者等の移動体Ｍが退散すればよく、防犯性を高めている。このセンサライト４０の検出範囲は広いため、特に敷地外での検出には有効である。
【００１９】
センサライトケーブル６０には、図１で示すように検出部３０が設けられている。検出部３０は、センサライト４０の明滅を検出するものであるが、詳しくは、外部電源部５０からセンサライトケーブル６０に流れる電流の変化、つまりセンサライト４０が消灯状態から点灯状態に変わったときの電流が０から例えば電流Ｉというようなステップ状の変化を検出することで、センサライト４０がオンになった状態を検出することができる。この検出部３０、詳しくは、図２，図３で示すように変流器（貫通形ＣＴ）３１を採用することで、電流の変化を検出する。変流器（貫通形ＣＴ）３１は変流信号を出力する。
【００２０】
過電圧抑制回路３２で変流信号を所定以下の電圧に抑制した検出信号とし、整流回路３３で直流信号とする。そして、電圧安定回路３４は、電圧の変動を抑制し、さらに平滑コンデンサ３５でノイズ成分を除去して電圧を安定させる。最後に閾値設定回路３６で設定された閾値よりも大きい値であれば、電流が変化したものと判断されるため、検出信号を接点出力回路３７へ入力する。接点出力回路３７はそのまま電源制御部１１の接点入出力部１１ａへ検出信号を出力する。
【００２１】
この電源制御部１１は、図１に示すように、接点入出力部１１ａ、内部電源部１１ｂを備えている。接点入出力部１１ａが検出信号を入力したとき、複数ある検出部３０の中のどの検出部３０から出力されたかを検出する。接点入出力部１１ａでは一の検出部３０に対して一のカメラ２０が対応するように予め設定されている。このカメラ２０は、対応するセンサライト４０の検出範囲を含むように撮影範囲やカメラ設置位置が決定されている。そして、接点入出力部１１ａはある検出部３０から検出信号が出力されると複数あるカメラ２０の中から設定されているカメラ２０に接続されている経路のみを閉成する。すると内部電源部１１ｂと当該カメラ２０とが選択接続されて、カメラ２０が稼働を開始する。カメラ２０は映像信号をカメラ選択部１２へ出力する。これにより、カメラ２０を常時稼働させている必要がなく、消費電力を低減できる。接点入出力部１１ａでは同時に通信部１５に接点データを出力する。通信部１５では接点データからカメラＩＤデータを生成してカメラ選択部１２へ出力する。
カメラ選択部１２は、カメラＩＤデータによりカメラ２０を選択して、このカメラ２０からの映像信号を静止画像取得部１３へ出力できるように経路設定を行う。
【００２２】
接点入出力部１１ａでは同時に画像キャプチャ部１６へトリガ信号を出力する。画像キャプチャ部１６は、静止画像取得部１３が所定タイミングで静止画像を取得するようにキャプチャ制御信号を静止画像取得部１３へ出力する。このタイミングはカメラ２０の稼動開始時とほぼ同じタイミングであり、移動体Ｍの静止画像データが取得できないような事態は起こらない。
【００２３】
静止画像取得部１３は画像キャプチャ部１６からキャプチャ制御信号が入力されるタイミングで静止画像データを取得してこの静止画像データをＪＰＥＧ画像圧縮部１４へ出力する。
ＪＰＥＧ画像圧縮部１４は、静止画像データに対してＪＰＥＧ（Joint Photographic Experts Group）方式で圧縮してＪＰＥＧ画像データを生成し、このＪＰＥＧ画像データを通信部１５へ出力する。
【００２４】
通信部１５はカメラＩＤデータとＪＰＥＧ画像データとを記憶しており、設定部１７で設定された条件に合致する場合にのみ通信データを生成して送信するようになされている。これは、例えば、ＪＰＥＧ画像データに移っている移動体Ｍが鳥のように小さい移動体Ｍである場合には、通信しないようにする。通信部１５は連続するＪＰＥＧ画像データを記憶しておき、移動体Ｍが写っていないＪＰＥＧ画像データと移動体Ｍが写っているＪＰＥＧ画像データとを比較して、変化面積が所定面積よりも小さいような場合には送信しないように制御する。所定面積は設定部１７により決定される。このような設定により無用な通信を行わないようにする。
【００２５】
通信部１５は移動体Ｍが大きい場合、移動体Ｍが人であると判断して通信データを送信する。通信データは、図３で示すように、ＰＨＳモデム７０によりＰＨＳ信号に変換されて無線により送信される。ＰＨＳ信号はデータ転送基地局（ＣＳ）８０、ＰＨＳ網９０、他のデータ転送基地局（ＣＳ）８０を経て受信側のＰＨＳモデム７０に到達する。ＰＨＳモデム７０はＰＨＳ信号を通信データに変換し、この通信データは同じ敷地内の管理室内にいる管理者の端末（コンピュータ）１００へ送信される。なお、本形態ではＰＨＳによる公衆網を採用したものとして説明しているが、各種の公衆網（例えばインターネット網）を採用してもよい。
【００２６】
端末（コンピュータ）１００は、通信データからＪＰＥＧ画像データおよびカメラＩＤデータを取り出してＪＰＥＧ画像データがカメラＩＤとともに表示され、監視者は移動体Ｍがどのカメラにより撮影されたかを場所とともに確認する。これにより、直ちに警察や警備会社に通報したり、自ら現場に急行したりして、不法侵入者の逮捕・取り締まりを行うことができる。
また、仮に外出・休業日により一般個人住宅・小規模事業所において管理者が不在となったときに不法侵入者による窃盗の被害を受けた場合であっても、防犯装置１により不法侵入者が撮影・記録され、所轄警察に対して容疑者特定証拠が提示されることとなる。このため、速やかな事件解決が期待されることとなる。
【００２７】
以上、本形態の防犯装置１について説明した、なお、本形態では一のセンサライト４０に対して一のカメラ２０を対応させ、一のセンサライト４０の検出により一のカメラ２０が選択されて映像信号を取得するものとして説明した。しかしながら、防犯対象施設等空間的条件によっては、１個のセンサライト４０を配置するだけで、複数のカメラ２０を同時に動作させて、単に多方面からの静止画像データを一斉に取得できるような構成としても良い。
【００２８】
続いて他の形態について説明する。本形態では２以上複数のセンサライト４０に対して１のカメラ２０を対応させ、２以上複数のセンサライト４０の検出により１のカメラが２０が選択されて映像信号を取得する。この点につき図を参照しつつ説明する。図５はカメラとセンサライトとの他の配置例の説明図である。
【００２９】
図５で示すように、例えば、２個のセンサライト４０の検出範囲を重ね合わせておき、移動体Ｍがこの重複する検出範囲に入った場合、２個のセンサライト４０が同時に検出するため、移動体Ｍは特定位置にいることとなる。そこで、この特定位置にいる移動体Ｍをカメラ２０で確実に撮影することで、移動体Ｍの特定が容易な静止画像データを取得することが可能になる。このカメラ２０は望遠等で移動体Ｍを大きく写すようにすれば、より良い証拠がえられる。また、他の通常のカメラ２０により、多方面からの静止画像データを取得できるため、この点でも証拠点数が多くなる。
【００３０】
このような配置は各種できるが、複数のセンサライト４０の検出範囲を重ね合わせた位置にカメラのピントを合わせて望遠で移動体Ｍが大写しされた静止画像データを取得する点が確保されていれば、より良い証拠の確保に寄与する。
なお、本形態では２以上複数のセンサライト４０に対して２以上複数のカメラ２０を対応させ、２以上複数のセンサライト４０の検出により２以上複数のカメラが２０選択されて映像信号を取得するものとしても良い。
【００３１】
続いて他の形態について説明する。図６は他の防犯システムの説明図である。先に図３を用いて説明した防犯システム２では一箇所の子局と一箇所の親局を対応させたものであった。この形態では複数箇所（図６では２箇所）に子局を設置して、監視範囲を広げている。また、親局の端末（コンピュータ）をインターネット（ＬＡＮ）１２０に接続して、メールサーバ１３０を介してメール端末１４０，１５０へ配信する。これにより、遠隔地にいる管理責任者へも電子メールにより直ちに異常を通報することが可能となり、異常に対する初動が早くなるという利点が見込める。
【００３２】
以上、本発明の防犯装置について説明した。このような本発明によれば、センサライト４０など通常の市販品を用いて装置を構成することができ、低コストで容易に設置可能であって一般個人住宅・小規模事業所の敷地での窃盗被害を未然に防ぐ防犯装置を提供することができる。また、センサライト４０が検出した移動体Ｍに対してカメラ２０を用いて敷地内への不法侵入の撮影記録を得ることにより、所轄警察への容疑者特定証拠を提示し易くして、すみやかに事件解決を図る防犯装置を提供することができる。
また、図２や図６で示したような防犯システムを構築する場合でも、防犯装置はＪＰＥＧ画像データを出力するので、端末（コンピュータ）１００における処理も容易であり、拡張性も高いものとしている。
【図面の簡単な説明】
【００３３】
【図１】防犯装置のシステム構成図である。
【図２】検出部の構成図である。
【図３】防犯装置を含む防犯システムの説明図である。
【図４】カメラとセンサライトとの配置例の説明図である。
【図５】カメラとセンサライトとの他の配置例の説明図である。
【図６】他の防犯システムの説明図である。
【符号の説明】
【００３４】
１：防犯装置
１０：監視装置
１１：電源制御部
１１ａ：接点入出力部
１１ｂ：内部電源部
１２：カメラ選択部
１３：静止画像取得部
１４：ＪＰＥＧ画像圧縮部
１５：通信部
１６：画像キャプチャ部
１７：設定部
２０：カメラ
３０：検出部
３１：変流器（貫通形ＣＴ）
３２：過電圧抑制回路
３３：整流回路
３４：電圧安定化回路
３５：平滑コンデンサ
３６：閾値設定回路
３７：接点出力回路
４０：センサライト
５０：外部電源部
６０：センサライトケーブル
２：防犯システム
７０：ＰＨＳモデム
８０：ＣＳ
９０：ＰＨＳ網
１００：端末（コンピュータ）
１１０：公衆網
１２０：インターネット（ＬＡＮ）
１３０：メールサーバ
１４０，１５０：メール端末
【図１】
2007299131.tif 000003
【図２】
2007299131.tif 000004
【図３】
2007299131.tif 000005
【図４】
2007299131.tif 000006
【図５】
2007299131.tif 000007
【図６】
2007299131.tif 000008